(57)【要約】【課題】親綱をずれにくく設置し、しかも、親綱同士の接続作業を屋根の上でしなくても済むようにする。【解決手段】親綱設置方法は、複数本の親綱３０，４０を含み構成され、親綱３０，４０同士が接続されて接続部Ｊが形成されることにより、接続部Ｊを基端部とする少なくとも３本の綱部３１，３２，４３，４４が形成された親綱複合体Ｘについて、接続部Ｊを含む一部を、建物８０の屋根８５よりも低い位置から屋根８５の上に揚げる接続部揚げ工程ｓ３，ｓ４と、少なくとも３本の綱部３１，３２，４３，４４を、平面視で屋根８５の上に引き上げられた接続部Ｊから放射状に広げた形になるように設置する綱部設置工程ｓ５，ｓ６と、を有する。【選択図】      図５
2020063553.tif 000002
【特許請求の範囲】
【請求項１】
複数本の親綱を含み構成され、前記親綱同士が接続されて接続部が形成されることにより、前記接続部を基端部とする少なくとも３本の綱部が形成された親綱複合体について、前記接続部を含む一部を、建物の屋根よりも低い位置から前記屋根の上に揚げる接続部揚げ工程と、
少なくとも３本の前記綱部を、平面視で前記屋根の上に引き上げられた前記接続部から放射状に広げた形になるように設置する綱部設置工程と、
を有する親綱設置方法。
【請求項２】
一の親綱と他の親綱とを含み構成され、前記一の親綱の中間部と前記他の親綱の中間部とが接続されることにより接続部が形成された親綱複合体について、前記接続部を含む一部を、建物の屋根よりも低い位置から前記屋根の上に揚げる接続部揚げ工程と、
前記接続部が前記屋根の上に配されている状態のまま、前記一の親綱を、両端部がそれぞれ前記建物の周囲において固定された状態になるように設置する一親綱設置工程と、
前記一親綱設置工程の後に、前記他の親綱を、前記一の親綱に対して所定角度をなすように設置する他親綱設置工程と、
を有する親綱設置方法。
【請求項３】
前記接続部揚げ工程は、
移動可能な可動体に線状体を接続した状態で、前記可動体を操作することにより、前記線状体を、前記建物よりも一方側から前記屋根の上を通過して前記建物よりも他方側に至るように前記屋根にかける線状体設置工程と、
前記線状体に前記接続部が繋がっている状態で、前記屋根にかけられた前記線状体を手繰り寄せることで、前記接続部を前記屋根の上に引き揚げる線状体手繰り寄せ工程と、
を有する請求項１又は２記載の親綱設置方法。
【請求項４】
さらに、建物の周囲にアンカーを設置するアンカー設置工程を有し、
前記アンカー内には、前記線状体と前記親綱複合体とが繰出し可能に収納されており、
前記線状体設置工程では、前記可動体の操作により前記線状体を引くのに伴い前記線状体が前記アンカー内から繰り出され、
前記線状体手繰り寄せ工程では、前記線状体を手繰り寄せるのに伴い前記親綱複合体が前記アンカー内から繰り出され、
前記綱部設置工程、又は前記一親綱設置工程及び前記他親綱設置工程では、前記親綱複合体の端部を前記アンカーに接続する、
請求項３記載の親綱設置方法。
【請求項５】
前記接続部は、前記親綱同士が係合し合うように前記親綱を結ぶことにより形成する請求項１〜４のいずれか一項に記載の親綱設置方法。
【請求項６】
前記接続部揚げ工程では、少なくとも１本の前記親綱のいずれかの端部が、前記建物の周囲において固定されたことにより、前記接続部の移動可能範囲が制限された状態で、前記接続部を前記移動可能範囲内にある所定位置に揚げる請求項１〜５のいずれか一項に記載の親綱設置方法。
【発明の詳細な説明】
【技術分野】
【０００１】
本発明は、建物の屋根に親綱を設置する方法に関する。
【背景技術】
【０００２】
住宅等の建物を新築する際や、既存の建物についてメンテナンス作業を行う際に、作業者が屋根の上に登る場合がある。この場合、あらかじめ屋根に親綱を張っておき、作業者は、自身に装着した安全帯などを親綱に連結することで、梯子の昇降や屋根の上での作業について安全性を確保することができる。
【０００３】
具体的には、例えば従来例では、切妻屋根の短手方向に一本の親綱を張り、その親綱に安全帯を連結する。また、特許文献１では、寄棟屋根に２本の親綱を十字に張り、その親綱に安全帯を連結する。
【先行技術文献】
【特許文献】
【０００４】
【特許文献１】特開２００２−１３２９４号公報
【発明の概要】
【発明が解決しようとする課題】
【０００５】
しかしながら、従来例では、親綱を一本張っているだけなので、例えば、作業者が親綱の長さ方向に直交する方向に落下するなどして、前記直交する方向に強い力が加わった場合、親綱が前記直交する方向にずれるなどして前記方向にぐらつく懸念がある。
【０００６】
他方、特許文献１では、２本の親綱を十字に張っているため、上記懸念はないが、このように親綱を十字に張るためには、作業者が傾斜した屋根の上に登り、そこで落下しないように十分に注意を払いながら２本の親綱を互いに接続しなければならない。そのため、前記接続の作業は苦労が多い。
【０００７】
本発明は、上記事情に鑑みてなされたものであり、親綱をずれにくく設置し、しかも、親綱同士の接続作業を屋根の上でしなくても済むようにすることを、本発明の主たる課題とする。
【課題を解決するための手段】
【０００８】
以下、上記課題を解決するのに有効な手段につき、必要に応じて作用、効果等を示しつつ説明する。なお、以下においては、理解の容易のため、図面において対応する構成を示す符号を括弧書きで示すが、本発明は、図面に示す具体的構成や形状に限定されるものではない。
【０００９】
第１発明は、複数本の親綱（３０，４０）を含み構成され、前記親綱（３０，４０）同士が接続されて接続部（Ｊ）が形成されることにより、前記接続部（Ｊ）を基端部とする少なくとも３本の綱部（３１，３２，４３，４４）が形成された親綱複合体（Ｘ）について、前記接続部（Ｊ）を含む一部を、建物（８０）の屋根（８５）よりも低い位置から前記屋根（８５）の上に揚げる接続部揚げ工程（ｓ３，ｓ４）と、少なくとも３本の前記綱部（３１，３２，４３，４４）を、平面視で前記屋根（８５）の上に引き上げられた前記接続部（Ｊ）から放射状に広げた形になるように設置する綱部設置工程（ｓ５，ｓ６）と、を有する親綱設置方法である。
【００１０】
第１発明によれば、少なくとも３本の綱部（３１，３２，４３，４４）を、接続部（Ｊ）から平面視で放射状に広げた形になるように設置するので、１本の親綱を平面視で直線状に設置する通常の場合に比べて、親綱（３０，４０）をずれにくく設置できる。しかも、接続部（Ｊ）が形成された親綱複合体（Ｘ）について、接続部（Ｊ）を含む一部を屋根（８５）の上に揚げるので、親綱（３０，４０）同士を接続する作業を屋根（８５）の上でする必要がない。
【００１１】
第２発明は、一の親綱（３０）と他の親綱（４０）とを含み構成され、前記一の親綱（３０）の中間部と前記他の親綱（４０）の中間部とが接続されることにより接続部（Ｊ）が形成された親綱複合体（Ｘ）について、前記接続部（Ｊ）を含む一部を、建物（８０）の屋根（８５）よりも低い位置から前記屋根（８５）の上に揚げる接続部揚げ工程（ｓ３，ｓ４）と、前記接続部（Ｊ）が前記屋根（８５）の上に配されている状態のまま、前記一の親綱（３０）を、両端部がそれぞれ前記建物（８０）の周囲において固定された状態になるように設置する一親綱設置工程（ｓ５）と、前記一親綱設置工程（ｓ５）の後に、前記他の親綱（４０）を、平面視で前記一の親綱（３０）に対して所定角度をなすように設置する他親綱設置工程（ｓ６）と、を有する親綱設置方法である。
【００１２】
第２発明によれば、第１発明をシンプルに実施できる。そして、第１発明と同様の効果を得ることができる。具体的には、他の親綱（４０）を、平面視で一の親綱（３０）に対して所定角度をなすように設置するので、１本の親綱を平面視で直線状に設置する通常の場合に比べて、親綱（３０，４０）をずれにくく設置できる。しかも、接続部（Ｊ）が形成された親綱複合体（Ｘ）について、接続部（Ｊ）を含む一部を屋根（８５）の上に揚げるので、親綱（３０，４０）同士を接続する作業を屋根（８５）の上でする必要がない。
【００１３】
第３発明は、第１発明又は第２発明において、前記接続部揚げ工程（ｓ３，ｓ４）は、移動可能な可動体（１０）に線状体を接続した状態で、前記可動体（１０）を操作することにより、前記線状体を、前記建物（８０）よりも一方側から前記屋根（８５）の上を通過して前記建物（８０）よりも他方側に至るように前記屋根（８５）にかける線状体設置工程（ｓ３）と、前記線状体に前記接続部（Ｊ）が繋がっている状態で、前記屋根（８５）にかけられた前記線状体を手繰り寄せることで、前記接続部（Ｊ）を前記屋根の上に引き揚げる線状体手繰り寄せ工程（ｓ４）と、を有するものである。前記可動体（１０）は、例えば、ドローンやラジコンヘリコプター等の飛行装置であってもよいし、前記屋根（８５）に前記線状体をかけられる長さの操作棒等であってもよい。また、前記線状体は、例えば、前記親綱複合体（Ｘ）に接続されるパイロットライン（２０）等であってもよいし、前記親綱複合体（Ｘ）自体、すなわち、前記一の親綱（３０）又は前記他の親綱（４０）であってもよい。
【００１４】
第３発明によれば、可動体（１０）の操作により線状体を設置し、その線状体を用いて親綱複合体（Ｘ）の接続部（Ｊ）を屋根（８５）の上に引き揚げることで、作業者（Ｈ）が屋根の上に登ることなく、親綱複合体（Ｘ）の設置作業を完了させることができる。そのため、作業者（Ｈ）は、屋根（８５）の上に登った当初から、設置作業が完了している親綱複合体（Ｘ）に、安全帯を連結することができる。そのため、安全性が高い。
【００１５】
第４発明は、第３発明において、さらに、建物（８０）の周囲にアンカー（５０ａ〜５０ｄ）を設置するアンカー設置工程（ｓ２）を有し、前記アンカー（５０ｂ）内には、前記線状体と前記親綱複合体（Ｘ）とが繰出し可能に収納されており、前記線状体設置工程（ｓ３）では、前記可動体（１０）の操作により前記線状体を引くのに伴い前記線状体が前記アンカー（５０ｂ）内から繰り出され、前記線状体手繰り寄せ工程（ｓ４）では、前記線状体を手繰り寄せるのに伴い前記親綱複合体（Ｘ）が前記アンカー（５０ｂ）内から繰り出され、前記綱部設置工程（ｓ５，ｓ６）、又は前記一親綱設置工程（ｓ５）及び前記他親綱設置工程（ｓ６）では、前記親綱複合体（Ｘ）の端部を前記アンカー（５０ａ，５０ｃ，５０ｄ）に接続する、ものである。
【００１６】
第４発明によれば、アンカー（５０ｂ）内に、線状体と親綱複合体（Ｘ）とが収納されるので、それらを収納する容器を別途用意する必要がない。また、可動体（１０）により線状体を引くのに伴い線状体が引き出され、線状体を手繰り寄せるのに伴い親綱複合体（Ｘ）が引き出されるので、効率的に第３発明を実施できる。
【００１７】
第５発明は、第１〜第４発明において、前記接続部（Ｊ）は、前記親綱（３０，４０）同士が係合し合うように前記親綱（３０，４０）を結ぶことにより形成するものである。
【００１８】
第５発明によれば、例えば、親綱（３０，４０）同士を金属の接続具等で接続した場合に比べて、接続部（Ｊ）が瓦等に引っ掛かりにくい。そのため、接続部（Ｊ）をスムーズに屋根（８５）の上に揚げることができる。また、接続部（Ｊ）が瓦等に引っ掛かりにくいため、瓦等を傷つけにくい。また、親綱（３０，４０）を結ぶ作業は、もし仮に屋根の上でするとしたら苦労の多い作業になるが、ここでは、接続部（Ｊ）が形成された親綱複合体（Ｘ）について、接続部（Ｊ）を含む一部を屋根（８５）の上に揚げるので、前記結ぶ作業は、例えば地面の上等、屋根（８５）の上以外ですることができる。また、親綱（３０，４０）同士が係合し合うように親綱（３０，４０）を結ぶので、例えば、複数本の親綱をそれらとは別のロープ等で結ぶ場合に比べて、強固に親綱（３０，４０）同士を接続することができる。
【００１９】
第６発明は、第１〜第５発明において、前記接続部揚げ工程（ｓ３，ｓ４）では、少なくとも１本の前記親綱（３０，４０）のいずれかの端部（３２）が、前記建物の周囲において固定されたことにより、前記接続部（Ｊ）の移動可能範囲が制限された状態で、前記接続部（Ｊ）を前記移動可能範囲内にある所定位置（Ｐ）に揚げるものである。
【００２０】
第６発明によれば、接続部（Ｊ）の移動可能範囲を制限してから、その移動可能範囲内にある所定位置（Ｐ）に前記接続部（Ｊ）を揚げることで、前記移動可能範囲が全く制限されていない場合に比べて、接続部（Ｊ）を楽に所定位置（Ｐ）に配することができる。
【図面の簡単な説明】
【００２１】
【図１】第１実施形態の親綱設置キットを示す図
【図２】親綱接続工程を示す図
【図３】アンカー設置工程を示す図
【図４】線状体設置工程（パイロットライン設置工程）を示す図
【図５】線状体手繰り寄せ工程（パイロットライン手繰り寄せ工程）を示す図
【図６】綱部設置工程（一親綱設置工程及び他親綱設置工程）等を示す図
【図７】第２実施形態を示す図
【発明を実施するための形態】
【００２２】
以下、本発明を具体化した実施形態について図面を参照しつつ説明する。但し、本発明は、実施形態に限定されるものではなく、発明の趣旨を逸脱しない範囲で適宜変更して実施できる。
【００２３】
［第１実施形態］
本実施形態は、上記の第１〜第６発明を具体化したものである。図１は、本実施形態の親綱設置方法で使用する親綱設置キットＫを示している。親綱設置キットＫは、飛行装置１０と、パイロットライン２０と、親綱複合体Ｘと、４つのアンカー５０ａ〜５０ｄとを含み構成されている。
【００２４】
飛行装置１０は、ドローンやラジコンヘリコプター等であり、パイロットライン２０の後述するリング部２１を引っ掛けるためのフックを備えている。
【００２５】
パイロットライン２０は、合成樹脂材料や金属材料により形成されたワイヤー等の線状体であり、柔軟性及び弾力性を有している。パイロットライン２０の先端部には、飛行装置１０のフックに取り付けるためのリング部２１が形成されている。パイロットライン２０の基端部は、一の親綱３０の先端部に粘着テープ等の接続材２３により脱着可能に接続されている。
【００２６】
親綱複合体Ｘは、２本の親綱３０，４０からなる。各親綱３０，４０は、いずれも合成樹脂材料や金属材料などにより形成されたロープ状の線状体であり、柔軟性を有している。親綱複合体Ｘは、２本の親綱３０，４０の中間部どうしが接続されたことにより、接続部Ｊが形成されると共に、接続部Ｊを基端部とする４本の綱部３１，３２，４３，４４が形成されている。
【００２７】
以下では、接続部Ｊから一の親綱３０の先端までの部分を第１綱部３１といい、接続部Ｊから一の親綱３０の基端までの部分を第２綱部３２といい、接続部Ｊから他の親綱４０の一端までの部分を第３綱部４３といい、接続部Ｊから他の親綱４０の他端までの部分を第４綱部４４という。第２綱部３２の端部（一の親綱３０の基端部）は、一のアンカー（第２アンカー５０ｂ）に接続されている。
【００２８】
４つの各アンカー５０ａ〜５０ｄには、綱部３１，３２，４３，４４の端部が接続される。以下では、分かりやすいように、前述の第２綱部３２が接続されている一のアンカーを第２アンカー５０ｂという。また、後に第１綱部３１が接続されるアンカーを第１アンカー５０ａといい、後に第３綱部４３が接続されるアンカーを第３アンカー５０ｃいい、後に第４綱部４４が接続されるアンカーを第４アンカー５０ｄいう。
【００２９】
４つの各アンカー５０ａ〜５０ｄは、互いに結合されて一纏まりになった４つの袋状の容器５１〜５４からなり、各容器５１〜５４は内側に、タンク５７が搭載されると共に、そのタンク５７に水が充填されることで、重量が増して地面等に固定されるようになっている。各容器５１〜５４には、綱部３１，３２，４３，４４の端部を接続するためのベルト５９が取り付けられている。本実施形態で、綱部の端部をアンカーに接続するというときは、４つの容器５１〜５４のベルト５９を纏めて、それらに綱部の端部を接続することをいう。容器５１〜５４の内側には、タンク５７の代わりに、又はタンク５７を畳んだ状態で、親綱複合体Ｘやパイロットライン２０を収納しておくこともできる。
【００３０】
本実施形態では、親綱設置キットＫを使用する前の状態においては、第２アンカー５０ｂの中に、タンク５７を畳んだ状態で、親綱複合体Ｘとパイロットライン２０とが収納されている。より具体的には、第２アンカー５０ｂにおける一の容器５１の内側には、パイロットライン２０と一の親綱３０とがトグロを巻いた状態で繰出し可能に収納されている。また、第２アンカー５０ｂにおける別の一の容器５３の内側には、第３綱部４３（他の親綱４０の一端側）がトグロを巻いた状態で操出し可能に収納されている。また、第２アンカー５０ｂにおけるさらに別の容器５４の内側には、第４綱部４４（他の親綱４０の他端側）がトグロを巻いた状態で操出し可能に収納されている。
【００３１】
次に、本実施形態の親綱設置方法を説明する。図２は、親綱設置方法で最初に行う親綱接続工程を示している。親綱接続工程では、２本の親綱３０，４０が中間部同士で係合し合うように親綱３０，４０を結ぶことにより、接続部Ｊを形成して親綱複合体Ｘを形成する。但し、本実施形態では、上記のとおり、親綱複合体Ｘは既に形成されている。すなわち、親綱接続工程ｓ１は、親綱設置キットＫを現場に持ち込む前に既に行われている。
【００３２】
図２（ａ）は、親綱接続工程ｓ１の一例を示す平面図である。この一例では、まず、いずれかの親綱（図では他の親綱４０）の中間部に、「二重８の字結び」によりループ４８を形成する。「二重８の字結び」は、「ダブルフィギュアエイトノット」、「フレミッシュループ」ともいう。次に、前記ループ４８に、もう一方の親綱（図では一の親綱３０）の長さ方向中間部を「本結び」により接続する。これにより、接続部Ｊが形成される。これにより、２本の親綱３０，４０の中間部同士が接続される。
【００３３】
なお、図２（ａ）は、分かりやすいように、前記「本結び」を強く締める前の緩んだ状態を示しているが、この緩んだ状態から、２本の親綱３０，４０を互いに離間する方向に強く引っ張ることで、前記「本結び」が強く締まる。
【００３４】
図２（ｂ）は、親綱接続工程ｓ１の別例を示す平面図である。この別例でも、まず、いずれかの親綱（例えば他の親綱４０）の中間部に、「二重８の字結び」によりループ４８を形成する。次に、もう一方の親綱（例えば一の親綱３０）の中間部に、「二重８の字結び」により、前記ループ４８の内側を通過する別のループ３８を形成する。これにより、２つのループ３８，４８同士が鎖状に連結されて、２つのループ３８，４８からなる接続部Ｊが形成される。これにより、２本の親綱３０，４０の中間部同士が結束される。
【００３５】
図２（ｃ）は、親綱接続工程ｓ１のさらに別例を示す平面図である。この別例では、両方の親綱３０，４０をそれぞれ長さ方向中間部で折り返して、その折り返し部分及びその周辺どうしを略平行に重ねた状態から、それらまとめて「８の字結び」することにより、２本の親綱３０，４０の中間部同士が結束させて接続部Ｊが形成される。
【００３６】
図３は、親綱複合体Ｘを設置する現場で最初に行うアンカー設置工程ｓ２を示している。図３（ａ）は、アンカー設置工程ｓ２の前期を示す平面図である。アンカー設置工程ｓ２では、まず、作業者Ｈが、建物８０の周囲の地面に４つのアンカー５０ａ〜５０ｄを配置する。具体的には、接続部Ｊを最終的に配置すべき所定位置Ｐの四方に、アンカー５０ａ〜５０ｄを配置する。より具体的には、建物８０の屋根８５の短手方向両側に、第１アンカー５０ａ及び第２アンカー５０ｂを配置し、屋根８５の長手方向両側に第３アンカー５０ｃ及び第４アンカー５０ｄを配置する。なお、本実施形態の屋根８５は、方形屋根である。
【００３７】
図３（ｂ）は、アンカー設置工程ｓ２の後期を示す斜視図である。ここでは、作業者Ｈが、各アンカー５０ａ〜５０ｄの各容器５１〜５４のタンク５７に水Ｗを充填することで、各アンカー５０ａ〜５０ｄの重量を増加させて、それぞれの位置に固定する。但し、第２アンカー５０ｂの３つの容器５１，５３，５４については、上記のとおり、パイロットライン２０や親綱複合体Ｘが収納されているため、水Ｗを充填しない。また、第１アンカー５０ａにおいては、３つの容器５１，５３，５４のタンク５７にのみ水Ｗを充填し、残り１つの容器５２のタンク５７については空にしておく。
【００３８】
図４は、アンカー設置工程ｓ２の後に行うパイロットライン設置工程ｓ３を示している。図４（ａ）は、パイロットライン設置工程ｓ３の前期を示す斜視図である。パイロットライン設置工程ｓ３では、まず、作業者Ｈが、飛行装置１０のフックに、パイロットライン２０の先端部にあるリング部２１を接続する。次に、作業者Ｈが飛行装置１０のコントローラ１５を操作することにより、飛行装置１０を建物８０よりも一方側から他方側にまで飛ばす。それにより、作業者Ｈが屋根８５の上に登ることなく、パイロットライン２０を屋根８５にかける。このとき、パイロットライン２０は、飛行装置１０の飛行により引っ張られるのに伴い、トグロを巻いた状態から延びることで第２アンカー５０ｂの容器５１から順次繰り出される。
【００３９】
図４（ｂ）は、パイロットライン設置工程ｓ３の後期を示す平面図である。パイロットライン２０は、建物８０よりも第２アンカー５０ｂ側から屋根８５の上を通過して建物８０よりも第１アンカー５０ａ側に至るように設置する。
【００４０】
図５は、パイロットライン設置工程ｓ３の後に行うパイロットライン手繰り寄せ工程ｓ４を示している。図５（ａ）は、パイロットライン手繰り寄せ工程ｓ４の前期を示す平面図である。パイロットライン手繰り寄せ工程ｓ４では、屋根８５にかけられているパイロットライン２０の先端側（第１アンカー５０ａ側）から基端側（第２アンカー５０ｂ側）を手繰り寄せることで、親綱複合体Ｘを第１綱部３１側から手繰り寄せる。それにより、一の親綱３０を、建物８０よりも第２アンカー５０ｂ側から屋根８５の上を通過して建物８０よりも第１アンカー５０ａ側に至るように屋根８５にかけると同時に、親綱複合体Ｘの接続部Ｊを第２アンカー５０ｂ内から屋根８５の上に引き揚げる。
【００４１】
このとき、親綱複合体Ｘは、前記手繰り寄せに伴い第２アンカー５０ｂの各容器５１，５３，５４から順次繰り出される。具体的には、まずは、第１綱部３１がトグロを巻いた状態から延びることで容器５１から繰り出される。その後に、第２綱部３２と第３綱部４３と第４綱部４４とが同時に並行してトグロを巻いた状態から延びることで、それぞれ容器５１，５３，５４から繰り出される。
【００４２】
図５（ｂ）は、パイロットライン手繰り寄せ工程ｓ４の後期を示す斜視図である。第２綱部３２がすべて容器５１から繰り出された時点で、それ以上のパイロットライン２０の手繰り寄せは不能となる。上記のとおり、第２綱部３２の端部は第２アンカー５０ｂに接続されているからである。そのため、接続部Ｊがそれ以上第１アンカー５０ａ側に移動することがない。このように、接続部Ｊの移動可能範囲は、第２アンカー５０ｂを起点とした第２綱部３２の長さ範囲内に制限される。そして、本実施形態では、第２綱部３２がすべて繰り出されたときに接続部Ｊが前記所定位置Ｐまたはその近辺にくるように、第２アンカー５０ｂの位置および第２綱部３２の長さが予め調整されている。そのため、接続部Ｊを所定位置Ｐに簡単に配することができる。
【００４３】
なお、手繰り寄せたパイロットライン２０は、一の親綱３０から取り外すと共に、トグロ状に巻いて、第１アンカー５０ａの空になっている一の容器５２に回収する。また、パイロットライン２０及び親綱複合体Ｘが繰り出したことで、第２アンカー５０ｂの３つの容器５１，５３，５４はそれぞれ空になっている。その空になっている３つの容器５１，５３，５４については、収納されているタンク５７を広げてそのタンク５７に、それぞれ水を充填する。それにより、第２アンカー５０ｂの重量を増加させて第２アンカー５０ｂの固定力を補強する。
【００４４】
図６（ａ）は、パイロットライン手繰り寄せ工程ｓ４の後に行う一親綱設置工程ｓ５と、その後に行う他親綱設置工程ｓ６とを示す平面図である。一親綱設置工程ｓ５では、親綱複合体Ｘの接続部Ｊが屋根８５の上に配されている状態のまま、次の作業を行う。すなわち、第１アンカー５０ａ側に手繰り寄せられている一の親綱３０の先端部（第１綱部３１の端部）を、第１アンカー５０ａに接続する。これにより、一の親綱３０の両端部が第１アンカー５０ａ及び第２アンカー５０ｂにそれぞれ接続された状態になる。このとき、一の親綱３０には、両端側から適度な張力が加わるようにする。また、一の親綱３０は、平面視で直線状になるように屋根８５に張る。
【００４５】
他親綱設置工程ｓ６では、一の親綱３０の両端部が固定されている状態のまま、次の作業を行う。すなわち、屋根８５における接続部Ｊが載っている部分の流れ方向を流れ方向Ｚとして、まず、流れ方向Ｚの反対側（流れ方向上流側）にあるアンカー（第３アンカー５０ｃ）に、他の親綱４０の一端部（第３綱部４３の端部）を接続する。次に、流れ方向Ｚ側（流れ方向下流側）にあるアンカー（第４アンカー５０ｄ）に、他の親綱４０の他端部（第４綱部４４の端部）を接続する。これにより、他の親綱４０は、両端部が第３アンカー５０ｃ及び第４アンカー５０ｄにそれぞれ接続された状態、すなわち、両端部がそれぞれ建物８０を挟む互いに反対側において固定された状態になる。このとき、他の親綱３０には、両端側から適度な張力が加わるようにする。他の親綱４０は、平面視で一の親綱３０に対して直角（９０°）をなすように張る。
【００４６】
上記の一親綱設置工程ｓ５及び他親綱設置工程ｓ６が、綱部設置工程ｓ５，ｓ６を構成している。綱部設置工程ｓ５，ｓ６により、親綱複合体Ｘの４つの綱部３１，３２，４３，４４が、接続部Ｊから十字（放射状）に広げられた形になるように設置される。以上により、本実施形態の親綱設置方法は完了である。
【００４７】
図６（ｂ）は、親綱設置方法の完了時の状態を示す斜視図である。本実施形態によれば、第１〜第６発明の効果を得ることができる。また、パイロットライン２０を用いて親綱複合体Ｘの一部を引き揚げることで、直接、親綱複合体Ｘの一部を引き揚げる場合等に比べて、楽に親綱複合体Ｘの一部を屋根８５の上に引き揚げることができる。
【００４８】
［第２実施形態］
次に、図７を参照しつつ第２実施形態について説明する。本実施形態については、第１実施形態のものと同一の又は対応する部材等については同一の符号を付して、第１実施形態と異なる点のみを説明する。
【００４９】
親綱複合体Ｘやパイロットライン２０は、第２アンカー５０ｂの容器５１〜５４の外側に置かれており、各容器５１〜５４の内側には、タンク５７が搭載されると共に水ｗが充填される。屋根８５は、寄棟屋根である。パイロットライン２０の基端部には、第１綱部３１の先端部と第３綱部４３の先端部とが接続される。
【００５０】
図７（ａ）は、パイロットライン手繰り寄せ工程ｓ４を示す平面図である。本実施形態では、第１アンカー５０ａ及び第３アンカー５０ｃを、建物８０よりも屋根８５の短手方向の一方側に、長手方向側に間隔をおいて設置する。また、第２アンカー５０ｂ及び第４アンカー５０ｄを、建物８０よりも屋根８５の短手方向の他方側に、長手方向側に間隔をおいて設置する。そして、パイロットライン２０を屋根８５の短手方向側にかける。
【００５１】
パイロットライン手繰り寄せ工程ｓ４では、屋根８５にかけられているパイロットライン２０の先端側（第１アンカー５０ａ側）から基端側（第２アンカー５０ｂ側）を手繰り寄せることで、親綱複合体Ｘを第１綱部３１及び第３綱部４３側から手繰り寄せる。それにより、一の親綱３０及び他の親綱４０を、建物８０よりも一方側から屋根８５の上を通過して建物８０よりも他方側に至るように屋根８５にかけると同時に、親綱複合体Ｘの接続部Ｊを屋根８５の上に引き揚げる。
【００５２】
そして、接続部Ｊが屋根８５の頂部にきたら、図７（ｂ）に示すように、親綱複合体Ｘを広げて、第１綱部３１を第１アンカー５０ａに接続し、第２綱部３２を第２アンカー５０ｂに接続し、第３綱部４３を第３アンカー５０ｃに接続し、第４綱部４４を第４アンカー５０ｄに接続する。これにより、親綱複合体Ｘが、屋根８５に対してＸ字形に設置される。
【００５３】
本実施形態によっても、第１〜第３発明及び第５発明の効果を得ることができる。
【００５４】
［他の実施形態］
本発明は、例えば、第１実施形態を次のように変更して実施することもできる。
【００５５】
まず、第１〜第６発明の実施となる範囲内での変更について説明する。例えば、親綱接続工程ｓ１を、親綱設置キットＫを現場に持ち込む前の段階で行うのに代えて、現場に持ち込んでから行ってもよい。また、一の親綱３０に対するパイロットライン２０の接続作業を、親綱設置キットＫを現場に持ち込む前の段階で行うのに代えて、現場に持ち込んでから行ってもよい。
【００５６】
また、他の親綱４０を、平面視で一の親綱３０に対して直角をなすように張るのに代えて、他の角度をなすように張ってもよい。また、隣り合う各２本の綱部同士の間の角度を全て９０°にするのに代えて、７０°，１００°，８０°，１１０°等、互いに異なる角度にしてもよい。
【００５７】
また、２本の親綱３０，４０を、上記の結び方で接続するのに代えて、その他の結び方で接続してもよい。また、本実施形態の親綱設置方法を、方形屋根（屋根８５）に対して実施するのに代えて、寄棟屋根や妻切屋根や片流れ屋根等に対して実施してもよい。
【００５８】
次に、第６発明とは異なる態様の実施となる変更について説明する。例えば、第２アンカー５０ｂに対する一の親綱３０の接続作業を、親綱設置キットＫを現場に持ち込む前の段階で行うのに代えて、接続部Ｊを屋根８５の上に揚げた後に行ってもよい。この場合、いずれの綱部３１，３２，４３，４４も地面に固定されていない状態、すなわち、接続部Ｊの移動可能範囲が制限されていない状態で、接続部Ｊを所定位置Ｐに揚げることになる。
【００５９】
また、パイロットライン２０を用いて親綱複合体Ｘの一部を屋根８５の上に引き揚げるのに代えて、パイロットライン２０を用いず、飛行装置１０や操作棒等で直接、親綱複合体Ｘの一部を屋根８５の上に引き揚げてもよい。
【００６０】
次に、第５発明とは異なる態様の実施となる変更について説明する。例えば、親綱３０，４０を結ぶのに代えて、２本の親綱３０，４０を金属等の接続具で接続してもよい。また、２本の親綱３０，４０をそれらとは別のロープ等で結んでもよい。
【００６１】
次に、第４発明とは異なる態様の実施となる変更について説明する。例えば、親綱設置キットＫにおいて、パイロットライン２０及び親綱複合体Ｘは、第２アンカー５０ｂの外に置いて、第２アンカー５０ｂの各容器５１〜５４内に、タンク５７を設置してもよい。また、４つの容器５１〜５４からなる各アンカー５０ａ〜５０ｄに代えて、土嚢タイプのアンカーや、地面にさす金具タイプのアンカーを使用してもよい。また、パイロットライン２０及び親綱複合体Ｘを第２アンカー５０ｂに収納するのに代えて、アンカー５０ａ〜５０ｄとは別体の容器に収納してもよい。
【００６２】
次に、第３発明とは異なる態様の実施となる変更について説明する。例えば、パイロットライン２０を飛行装置１０により屋根８５にかけるのに代えて、操作棒等により屋根８５にかけてもよい。
【００６３】
また、飛行装置１０及びパイロットライン２０を用いて親綱複合体Ｘの一部を屋根の上に揚げるのに代えて、作業者Ｈが屋根８５の上に登って屋根８５の上から親綱複合体Ｘを引っ張ることで、親綱複合体Ｘの一部を屋根８５の上に揚げてもよい。
【００６４】
次に、第２発明とは異なる態様の実施となる変更について説明する。例えば、平面視で、一の親綱３０が直線状に延び、他の親綱４０がそれと直交する直線状に延びるように設置するのに代えて、平面視で、一の親綱がＬ字状に延び、他の親綱が逆Ｌ字状（Ｌ字を１８０°回転させた形状）に延びるように設置してもよい。すなわち、例えば図６（ａ）において、一の親綱３０が、第１綱部３１及び第３綱部４３を構成するＬ字形をなし、他の親綱４０が、第２綱部３２及び第４綱部４４を構成する逆Ｌ字形をなすようにしてもよい。
【００６５】
また、２本の親綱３０，４０の中間部同士を接続するのに代えて、４本の親綱の各一方の端部を一点で接続することで、前記一点（接続部）を基端部とする４本の綱部を形成してもよい。
【００６６】
また、４本の綱部３１，３２，４３，４４をそれぞれアンカー５０ａ〜５０ｄに接続するのに代えて、１本の綱部は遊ばせて残り３本の綱部のみをアンカーに接続してもよい。すなわち、１本の綱部は遊ばせて残り３本の綱部のみを平面視でＹ字（放射状）になるように設置してもよい。
【００６７】
また、２本の親綱３０，４０の中間部同士を接続するのに代えて、１本の親綱の中間部に別の親綱の端部を接続してもよい。そして、接続部を基端部とする綱部を３本のみ形成すると共に、３本の綱部を平面視でＹ字（放射状）になるように設置してもよい。
【符号の説明】
【００６８】
１０…飛行装置、２０…パイロットライン、３０…一の親綱、４０…他の親綱、５０ａ…第１アンカー、５０ｂ…第２アンカー、５０ｃ…第３アンカー、５０ｄ…第４アンカー、８０…建物、８５…屋根、Ｊ…接続部、Ｐ…所定位置、Ｘ…親綱複合体、ｓ２…アンカー設置工程、ｓ３…パイロットライン設置工程、ｓ４…パイロットライン手繰り寄せ工程、ｓ５…一親綱設置工程、ｓ６…他親綱設置工程。
【図１】
2020063553.tif 000003
【図２】
2020063553.tif 000004
【図３】
2020063553.tif 000005
【図４】
2020063553.tif 000006
【図５】
2020063553.tif 000007
【図６】
2020063553.tif 000008
【図７】
2020063553.tif 000009